(57)【特許請求の範囲】
【請求項１】
枠状本体と、上記枠状本体に上から嵌入される中皿収容ケースと、上記枠状本体に下から嵌入され上記中皿収容ケースと一体的に接合されて上記枠状本体の底壁となる底壁カバーと、上記枠状本体の上面を蓋する蓋体とを備え、上記枠状本体が、その内周面の少なくとも対向する二個所の部分に、上記中皿収容ケースと係合しうる係合部を有し、上記中皿収容ケースが、化粧料が充填された中皿を収容しうる凹部と、その凹部周壁の上端部から水平方向外向きに延設されるフランジ部と、上記フランジ部から垂下してその下端部が上記枠状本体内周面の係合部と係合しうる被係合片とを有し、上記底壁カバーが、上記枠状本体の枠部開口内に配置され上記中皿収容ケースの底壁に対し隙間をあけた状態で上記枠状本体の底壁となる底壁部と、その周縁部から立ち上がる周壁部とを有し、上記底壁カバーの周壁部のうち、少なくとも対向する二個所の上端部分が、上記中皿収容ケースの凹部周壁と被係合片との間に入り込んで上記中皿収容ケースの被係合片を枠状本体側に押し付け付勢するようになっていることを特徴とする化粧料容器。
【請求項２】
上記中皿収容ケースにおいて、フランジ部から垂下する被係合片に対峙する凹部周壁部分が切り欠かれている請求項１記載の化粧料容器。
【請求項３】
上記中皿収容ケースの被係合片の厚みが０．４〜１．０ｍｍに設定され、上記底壁カバーの周壁の厚みが０．４〜１．０ｍｍに設定されている請求項１または２記載の化粧料容器。
【発明の詳細な説明】
【技術分野】
【０００１】
本発明は、耐衝撃性に優れた中皿収容ケースを介して中皿が収容されるようになっている化粧料容器に関するものである。
【背景技術】
【０００２】
従来、ファンデーションやアイカラー、リップカラー等を収容した、いわゆるコンパクトタイプの化粧料容器では、運搬時や陳列販売時、あるいは顧客の使用時に、誤って落としたり他物に当てたりした場合に、その衝撃で内部の化粧料が割れたり砕けたりする等のトラブルが発生しやすいため、そのようなトラブルの発生を防止するために、容器の耐衝撃性を高めた構造のものが、各種提案されている。
【０００３】
例えば、本出願人は、図６に示すような化粧料容器を開発して実用化している（特許文献１を参照）。この容器は、化粧料１が充填された中皿２（金皿もしくは樹脂皿）を収容する容器本体３と、これを蓋する蓋体４とを備え、上記容器本体３を、外側周壁５と、中皿２を収容する浅皿状の内箱６と、上記外側周壁５の上端部と内箱６の上面開口部とを連結する連結壁部７とで構成し、この連結壁部７の一部７ａを薄肉にして湾曲状に折り曲げて弾性変形可能にすることにより、内箱６内の化粧料１に、周囲からの衝撃が殆ど伝達されないようにしたものである。なお、図において、８は、中皿２を内箱６の底に固定するための粘着剤層であり、９は、この中皿２を粘着剤層８から外して取り出すための、棒挿入用の穴である。
【先行技術文献】
【特許文献】
【０００４】
【特許文献１】特許第４６０１９２９号公報
【発明の概要】
【発明が解決しようとする課題】
【０００５】
上記化粧料容器は、優れた耐衝撃性を奏するものであるが、容器本体３を裏返すと、上記外側周壁５の下端縁で囲われた開口縁部と、上記内箱６の底部との間に隙間があいており、簡易な印象を与えるため、顧客が手許に置いて使用する一般的なコンパクト容器ではなく、専ら中皿交換用のレフィル容器や店頭陳列用のテスター容器として賞用されている。
【０００６】
しかし、レフィル容器やテスター容器だけでなく、一般的なコンパクト容器においても、優れた耐衝撃性をもたせることが強く望まれており、図６に示すような内箱６を、底のあるコンパクト容器に組み込むことが検討されている。
【０００７】
例えば、図７に示すように、上記図６における容器本体３と同様の構成の中皿収容ケース１０（図６の容器と同一部分に同一符号を付してその説明を省略）を準備し、これを、一般的なコンパクト容器の容器本体１１の凹部１２内に収容することが考えられる。しかし、このようにすると、優れた耐衝撃性が得られる半面、空間的に無駄が多く、コンパクト容器が大型化して携帯等に好ましくない。
【０００８】
そこで、例えば図８に示すように、図７における容器本体１１を、枠状体１３と、この枠状体１３の下端開口を塞ぐ底壁１４の二つの部材で構成し、上記底壁１４の周縁部から立ち上がる周壁の上端部１４ａと、中皿収容ケース１０の外側周壁５の下端部５ａとを、超音波接着することも考えられる。このようにすると、中皿収容ケース１０を、容器本体１１の内側において、底壁１４から浮かせた状態で取り付けることができ、しかも、全体を比較的コンパクトに設計することができる。
【０００９】
しかし、中皿収容ケース１０の外側周壁５と底壁１４の周壁とを超音波接着するには、片方の端面に溶着用のリブを形成する必要から、両者の端面をある程度肉厚にしなければならず、この部分が、枠状体１３の周壁の内側に全面的に嵌入された構成になることと相俟って、中皿収容ケース１０の自由度が大きく制限され、耐衝撃性が大幅に低下してしまう。また、中皿収容ケース１０のうち、内箱６と連結壁部７が薄肉で、外側周壁５が厚肉となって、部分部分で厚みの異なったものとなるため、成形時に樹脂材料の流れが不均一となり、不良品ができやすいという問題がある。さらに、上記枠状体１３が、見栄え等の点から、中皿収容ケース１０および底壁１４の構成樹脂とは異なる樹脂で形成されている場合、超音波接着時に、その異質な樹脂も一部溶融して接着界面に入り込んで接着強度を低下させるおそれがあり、好ましくない。
【００１０】
本発明は、このような事情に鑑みなされたもので、中皿に対する耐衝撃性に優れ、しかも全体がコンパクトで、成形性にも優れた化粧料容器の提供をその目的とする。
【課題を解決するための手段】
【００１１】
上記の目的を達成するため、本発明は、枠状本体と、上記枠状本体に上から嵌入される中皿収容ケースと、上記枠状本体に下から嵌入され上記中皿収容ケースと一体的に接合されて上記枠状本体の底壁となる底壁カバーと、上記枠状本体の上面を蓋する蓋体とを備え、上記枠状本体が、その内周面の少なくとも対向する二個所の部分に、上記中皿収容ケースと係合しうる係合部を有し、上記中皿収容ケースが、化粧料が充填された中皿を収容しうる凹部と、その凹部周壁の上端部から水平方向外向きに延設されるフランジ部と、上記フランジ部から垂下してその下端部が上記枠状本体内周面の係合部と係合しうる被係合片とを有し、上記底壁カバーが、上記枠状本体の枠部開口内に配置され上記中皿収容ケースの底壁に対し隙間をあけた状態で上記枠状本体の底壁となる底壁部と、その周縁部から立ち上がる周壁部とを有し、上記底壁カバーの周壁部のうち、少なくとも対向する二個所の上端部分が、上記中皿収容ケースの凹部周壁と被係合片との間に入り込んで上記中皿収容ケースの被係合片を枠状本体側に押し付け付勢するようになっている化粧料容器を第１の要旨とする。
【００１２】
また、本発明は、そのなかでも、特に、上記中皿収容ケースにおいて、フランジ部から垂下する被係合片に対峙する凹部周壁部分が切り欠かれている化粧料容器を第２の要旨とし、それらのなかでも、特に、上記中皿収容ケースの被係合片の厚みが０．４〜１．０ｍｍに設定され、上記底壁カバーの周壁の厚みが０．４〜１．０ｍｍに設定されている化粧料容器を第３の要旨とする。
【発明の効果】
【００１３】
すなわち、本発明の化粧料容器は、従来の、容器本体に相当する部分を、枠状本体と底壁カバーの二つの部材で構成し、上記枠状本体に、上から中皿収容ケースを嵌入するとともに下から底壁カバーを嵌入して、一体的に組み付けることができるようにしたものである。そして、上記中皿収容ケースが、単に中皿を収容するだけでなく、その中皿収容用の凹部の周壁上端部から外向きに延設されるフランジ部と、このフランジ部から垂下する被係合片とを有し、この被係合片の下端部が上記枠状本体側に設けられた係合部と係合するようになっているため、この係合によって、中皿収容ケースの凹部を、枠状本体の周壁と底壁カバーとの間に隙間をもたせた状態で保持することができ、中皿収容ケース本来の、耐衝撃性が損なわれることがない。
【００１４】
しかも、上記底壁カバーの上端部分が、上記中皿収容ケースの凹部周壁と被係合片との間に入り込んで中皿収容ケースの被係合片を枠状本体側に押し付け付勢するようになっているため、中皿収容ケースと枠状本体との係合、そして中皿収容ケースと底壁カバーとの係合が強固になり、超音波接着等によって接着させる中皿収容ケースと底壁カバーとの接合面積が小さくても、この部分が外れるようなことがない。したがって、上記中皿収容ケースの被係合片の厚みと底壁カバーの周壁の厚みをともに薄くすることができ、中皿収容ケースと底壁カバーの二つの部材を、効率よく製造することができるという利点を有する。
【００１５】
また、上記中皿収容ケースの被係合片と底壁カバーとが、枠状本体に接しない側で接合されるため、この接合を超音波接着によって接合する場合、枠状本体が中皿収容ケースや底壁カバーと異なる樹脂で形成されていても、それが接着時に一部溶融して接合部に滲み出るようなことがなく、接着強度低下等のトラブルを回避することができる。
【００１６】
なお、本発明のなかでも、特に、上記中皿収容ケースにおいて、フランジ部から垂下する被係合片に対峙する凹部周壁部分が切り欠かれているものは、枠状本体に嵌入された状態における中皿収容ケースの自由度が一層高いものとなり、耐衝撃性がより優れている。
【００１７】
また、本発明のなかでも、特に、上記中皿収容ケースの被係合片の厚みが０．４〜１．０ｍｍに設定され、上記底壁カバーの周壁の厚みが０．４〜１．０ｍｍに設定されているものも、同じく上記中皿収容ケースの自由度が一層高いものとなり、耐衝撃性がより優れている。しかも、中皿収容ケースと底壁カバーの係合に要するスペースが小さくてすみ、全体として、よりコンパクトな形状になるという利点を有する。
【図面の簡単な説明】
【００１８】
【図１】本発明の一実施の形態を示す分解斜視図である。
【図２】（ａ）は上記実施の形態の平面図、（ｂ）は上記実施の形態の縦断面図である。
【図３】上記実施の形態における要部の部分的な分解斜視図である。
【図４】上記実施の形態の部分的な拡大縦断面図である。
【図５】本発明の他の実施の形態の部分的な拡大縦断面図である。
【図６】従来の化粧料容器の一例を示す縦断面図である。
【図７】本発明の課題を説明するための説明図である。
【図８】本発明の課題を説明するための説明図である。
【発明を実施するための形態】
【００１９】
つぎに、本発明の実施の形態を図面にもとづいて詳しく説明する。ただし、本発明は、以下の実施の形態に限定されるものではない。
【００２０】
図１は、本発明の化粧料容器の一実施の形態を示している。ただし、実際には一体的に組み立てられているものを、わかりやすく示すために分解斜視図としている。また、その平面図（蓋体２３は開いた状態を部分的に鎖線で示す）を図２（ａ）に示し、蓋体２３を閉じた状態における縦断面図を図２（ｂ）に示している。
【００２１】
すなわち、この化粧料容器は、枠状本体２０と、上記枠状本体２０に上から嵌入される中皿収容ケース２１と、上記枠状本体２０に下から嵌入されて、この枠状本体２０の底壁となる底壁カバー２２と、上記枠状本体２０の上面を蓋する蓋体２３とを備えている。
【００２２】
そして、上記中皿収容ケース２１の凹部３０内には、４種類の化粧料を充填できるよう仕切りが設けられた、平面視正方形状の中皿２４が収容されるようになっている。
【００２３】
上記枠状本体２０は、平面視が前後に長い（図２の図面では左右に長い）長方形状で、手前側に、化粧小物を収容しうる凹部２５が設けられている。そして、その後側に、平面視正方形状の開口２６（図１参照）が形成されており、その開口２６を囲う周壁（前側の壁は凹部２５の後壁を兼ねている）の内周面のうち、その四隅を除く平面部分に、水平方向に延びる凸条２７と凹条２８とが上下に並んで形成されている（図２〔ｂ〕およびその部分的な拡大図である図４参照）。
【００２４】
また、上記枠状本体２０（図１に戻る）の前端面のうち、左右両端縁と下端縁を除いた部分が、凹状に段落としされており、その中央上端部に、蓋体２３の前端部中央に設けられたフック５０と係合して蓋体２３を閉じるための突起２９が設けられている。
【００２５】
なお、上記枠状本体２０の後端部は、中央部分が切欠かれており、この部分に、蓋体２３の後端部から垂下するヒンジブロック５１が入り込み、左右両端から挿通されるヒンジピン５２によって、枠状本体２０と蓋体２３とがヒンジ連結されている。
【００２６】
一方、上記枠状本体２０に上から嵌入される中皿収容ケース２１は、図３に示すように、底壁３１と、その周縁部から立ち上がる周壁３２とで、中皿２４を収容するための凹部３０が形成されている。そして、上記周壁３２の上端部から水平方向外向きに、フランジ部３３が延設されており、その前後左右の四辺のそれぞれ中央部分に、辺に沿って所定長さで延びる被係合片３４が垂下している。各被係合片３４の下端部外側には、水平方向に延びる凸条３５が形成されており、この凸条３５が、前記枠状本体２０の周壁内周面に設けられた凸条２７を乗り越えて、その下の凹条２８に係合するようになっている（図４参照）。
【００２７】
そして、上記中皿収容ケース２１の周壁３２の前後左右の四面のうち、その外側に垂下する被係合片３４と対峙する部分が、被係合片３４より一回り大きく切欠かれている（図３に戻る）。この切欠き部３６が設けられていることにより、上記被係合片３４の自由度、ひいてはこの周壁３２で囲われた凹部３０の自由度が高くなり、外から受ける衝撃を、より吸収しやすい構造となる。なお、上記切欠き部３６の大きさは、その長手方向の長さを、被係合片３４の長さより０．５〜２ｍｍ長く設定し、その切欠き幅（図４においてＷで示す）を、３〜１０ｍｍに設定することが、耐衝撃性向上効果と中皿収容ケース２１の強度とのバランスに優れ、好適である。
【００２８】
また、上記枠状本体２０に下から嵌入される底壁カバー２２は、上記枠状本体２０の開口２６（図１参照）の下部を塞いで底壁となる底壁部４０と、その周縁部から立ち上がる周壁部４１とを有している。上記周壁部４１の上端部のうち、その内側の細幅部分が全周にわたって上方に立ち上がることにより、凸条部４２が形成されている。また、凸条部４２より外側の、一段下がった部分が、外側に向かって下り傾斜のテーパ部４３になっている。
【００２９】
そして、底壁カバー２２を枠状本体２０に下から嵌入すると、上記周壁部４１の凸条部４２およびテーパ部４３が、枠状本体２０の上から嵌入された中皿収容ケース２１の被係合片３４と周壁３２の間に入り込んで、被係合片３４をより外側に、周壁３２をより内側に押し付け付勢するようになっており、これによって、上記被係合片３４が、枠状本体２０の凸条２７および凹条２８と、より強固に係合するようになっている。
【００３０】
なお、上記底壁カバー２２の上端部は、中皿収容ケース２１の被係合片３４の内側角部（図４において細かい斜線で示す部分Ｐ）と超音波接着によって一体的に接合されるようになっている。上記接合により、上記被係合片３４の角部Ｐと底壁カバー２２側のテーパ部４３とが溶融一体化して、両者が強固に固定され、ともに枠状本体２０から外れることがない。そして、この状態において、底壁カバー２２の底壁部４０は、中皿収容ケース２１の底壁３１との間に隙間をあけた配置になっている。
【００３１】
上記構成の化粧料容器によれば、従来の容器本体に代わる枠状本体２０に、上から中皿収容ケース２１が嵌入され、下から底壁カバー２２が嵌入されて、この三者が一体的に組み付けられている。そして、上記中皿収容ケース２１の中皿収容用の凹部３０にフランジ部３３と、このフランジ部３３から垂下する被係合片３４とが設けられ、この被係合片３４の下端部が、上記枠状本体２０の内周面に設けられた凸条２７、凹条２８と係合している。したがって、上記中皿収容ケース２１の凹部３０を、枠状本体２０の周壁と底壁カバー２２との間に、隙間をもたせた状態で保持することができ、凹部３０内に収容される中皿２４に対し、外からの衝撃を殆ど伝達することがない。特に、上記被係合片３４の、上記枠状本体２０の凸条２７、凹条２８と係合する以外の部分が、枠状本体２０に対しても、中皿収容ケース２１に対しても、隙間を有しているため、この部分における衝撃吸収力が非常に高く、とりわけ優れた耐衝撃性を発揮する。
【００３２】
しかも、上記底壁カバー２２の上端部分が、上記中皿収容ケース２１の周壁３２と被係合片３４との間に入り込んで、上記被係合片３４を枠状本体２０側に押し付け付勢するようになっているため、中皿収容ケース２１と枠状本体２０との係合、そして中皿収容ケース２１と底壁カバー２２との係合がともに強固となり、中皿収容ケース２１と底壁カバー２２との接合面積が小さくても、接合部分が外れるようなことがない。したがって、上記中皿収容ケース２１の被係合片３４の厚みと底壁カバー２２の周壁部４１の厚みをともに薄くする（例えば０．４〜１．０ｍｍ程度にする）ことができ、中皿収容ケース２１と底壁カバー２２の二つの部材を、効率よく製造することができるという利点を有する。ちなみに、上記の例では、中皿収容ケース２１の被係合片３４の厚み（図４においてＤ１で示す）と、底壁カバー２２の周壁部４１の厚み（図４においてＤ２で示す）は、ともに０．８ｍｍである。
【００３３】
また、上記中皿収容ケース２１の被係合片３４と底壁カバー２２とが、枠状本体２０に接しない側で接合されるため、この接合を超音波接着によって接合する場合、枠状本体２０が中皿収容ケース２１や底壁カバー２２と異なる樹脂で形成されていても、それが接着時に一部溶融して接合部に滲み出るようなことがなく、接着強度低下等のトラブルを回避することができる。
【００３４】
しかも、上記中皿収容ケース２１の周壁において、フランジ部３３から垂下する被係合片３４に対峙する部分に切欠き部３６が設けられているため、枠状本体２０に嵌入された中皿収容ケース２１の自由度が一層高いものとなり、耐衝撃性がより優れている。
【００３５】
ただし、上記中皿収容ケース２１の切欠き部３６は、必ずしも必要ではなく、例えば、図５に示すように、水平に延びたフランジ部３３の一部（前後左右の四辺のそれぞれの一部）を、下向きに折り返して被係合片３４とし、その下端部に凸条３５を設けることができる。その場合も、上記被係合片３４と周壁３２の間に、底壁カバー２２の周壁部４１の上部が入り込むようにすることが必要である。そして、この周壁部４１の上部外側面に超音波接着用のリブを設けることが好ましい。
【００３６】
もちろん、上記中皿収容ケース２１の被係合片３４と底壁カバー２２の周壁部４１との接合を、超音波接着に代えて、接着剤を用いた接着にしても差し支えはない。
【００３７】
また、上記の例では、枠状本体２０の前側に、化粧小物を収容するための凹部２５を設けたが、これも必ずしも必要ではなく、枠状本体２０が、開口２６を囲む枠状体のみで構成されていても差し支えない。
【００３８】
さらに、上記の例では、中皿収容ケース２１において、その前後左右の四辺部に、それぞれ被係合片３４を設けたが、前後もしくは左右の、対向する二個所に被係合片３４を設けるようにしても差し支えない。ただし、周方向に均等に被係合片３４を設ける方が、バランスよく衝撃吸収を行うことができ、好適である。
【００３９】
また、上記の例では、枠状本体２０と蓋体２３の係合を、両者の前端部に設けた突起２９とフック５０によって行うようにしたが、係合手段は、これに限らず、両者の左右の側面部分で着脱する方式のものや、蓋体２３を前後にスライドして開閉するもの等であってもよい。
【産業上の利用可能性】
【００４０】
本発明は、耐衝撃性に優れた中皿収容ケースを介して中皿が収容されるようになっている化粧料容器に利用することができる。
【符号の説明】
【００４１】
２０  枠状本体
２１  中皿収容ケース
２２  底壁カバー
２３  蓋体
２７  凸条
２８  凹条
３２  周壁
３４  被係合片
４０  底壁部
４１  周壁部
【図１】
0005865747.tif 000002
【図２】
0005865747.tif 000003
【図３】
0005865747.tif 000004
【図４】
0005865747.tif 000005
【図５】
0005865747.tif 000006
【図６】
0005865747.tif 000007
【図７】
0005865747.tif 000008
【図８】
0005865747.tif 000009